(57)【要約】      （修正有）【課題】チューブが完全に挿入されていないことを視覚できる急速継手の提供。【解決手段】  コネクタ本体は貫通内孔を画定し、オス部材は内孔内に延在する。主リテーナは、コネクタ本体内にオス部材を取り外し可能に固定する。冗長ラッチ／確認機構は、コネクタ本体に取り外し可能に結合され、ラッチ解除位置とラッチ位置との間を移動可能である。冗長ラッチ／確認機構は、オス部材の完全な挿入後にのみラッチ位置への移動を可能にする確認タブを有する、離間したフィンガを含む。フィンガは、延長ビームを手動で拡開させる解除タブを有する。別の形態では、コネクタ本体は、半径方向内向きに延在するロックパッドを含む。主リテーナの脚部は、ロックパッドの内側に配置されて、上記オス部材をコネクタ本体から取り外す方向に引いた場合に脚部が解放位置に移動することを防止する。【選択図】  図１
2006313013.tif 000002
【特許請求の範囲】
【請求項１】
流体管路内で切り離し可能な接続を行うための急速継手であって、
コネクタ本体であって、該コネクタ本体のオス部材受け取り端部から軸方向後方に延在する貫通内孔を画定するコネクタ本体と、
該コネクタ本体の前記オス部材受け取り端部を通って前記貫通内孔内に延在するオス部材であって、ほぼ円筒形のシール表面と該管状表面の直径より大きな直径を有する環状アップセットとを含む、オス部材と、
前記コネクタ本体内に前記オス部材を取り外し可能に固定する主リテーナであって、ロック位置と、互いの間の間隔が増加するロック解除位置との間を移動可能である離間した脚部を含む、主リテーナと、
前記コネクタ本体に取り外し可能に結合された個別の冗長ラッチ／確認機構であって、確認タブをそれぞれが有する離間したフィンガを含み、前記コネクタ本体に対して前記主リテーナに接近及びそれから離れる方向に移動して、前記オス部材の前記アップセットが前記確認タブと接触している場合だけラッチ解除位置とラッチ位置との間を移動可能である、個別の冗長ラッチ／確認機構と
を備える、急速継手。
【請求項２】
前記冗長ラッチ／確認機構は、前記オス部材の前記環状アップセットが前記確認タブ間に位置している場合だけ前記ラッチ解除位置と前記ラッチ位置との間を移動可能である、請求項１に記載の急速継手。
【請求項３】
前記冗長ラッチ／確認機構の前記確認タブは、前記主リテーナの前記脚部の軸方向後方に位置する、請求項１に記載の急速継手。
【請求項４】
前記フィンガは、前記確認タブを前記ナックルに連結する延長ビームをさらに含み、該延長ビームは、前記主リテーナの前記脚部の軸方向後方に位置する、請求項１に記載の急速継手。
【請求項５】
前記確認タブの各々は、前記コネクタ本体の前記オス部材受け取り端部の方に面する導入（lead-in：食い付き）ランプ面を含む、請求項１に記載の急速継手。
【請求項６】
前記フィンガの各々は、各フィンガの端部に画定される座部を有し、前記コネクタ本体は、前記オス部材の前記アップセットが前記確認タブから離間している場合に前記座部に配置される、軸方向に延出する本体支柱をさらに含む、請求項１に記載の急速継手。
【請求項７】
前記本体支柱は、前記アップセットが前記オス部材の前記ほぼ円筒形のシール表面と接触している場合に前記座部に配置される、請求項６に記載の急速継手。
【請求項８】
前記本体支柱は、前記アップセットが前記確認タブと接触している場合に前記座部から離間している、請求項６に記載の急速継手。
【請求項９】
前記フィンガの各々は、前記座部を画定するロック縁部及び本体支柱縁部を含む、請求項６に記載の急速継手。
【請求項１０】
前記フィンガの各々は、前記座部を画定する内側ロック縁部、本体支柱縁部、及び外側ロック縁部を含む、請求項６に記載の急速継手。
【請求項１１】
前記冗長ラッチ／確認機構の前記フィンガの各々は、横方向外向きに延出する解除タブを含む、請求項１に記載の急速継手。
【請求項１２】
前記冗長ラッチ／確認機構の前記フィンガの各々は、横方向外向きに延出する解除タブを含む、請求項１０に記載の急速継手。
【請求項１３】
前記第２ラッチ／確認機構は、前記コネクタ本体内に画定されるスロット内で摺動可能なリテーナビームを含む、請求項１に記載の急速継手。
【請求項１４】
前記脚部は、横部材によって接続されており、また、該横部材を前記コネクタ本体の方に押し付けることにより、前記ロック位置と前記ロック解除位置との間を横方向に移動可能である、請求項１に記載の急速継手。
【請求項１５】
前記コネクタ本体は、上部支持部材、該上部支持部材から間隔をおいた１対の側部支持部材であって、該上部支持部材と該側部支持部材との間に１対の上部スロットを画定する１対の側部支持部材を含み、前記本体は、１対の中央支持部材及び１対の底部支持部材をさらに含み、前記中央支持部材及び前記底部支持部材は、１対の側部スロット及び１つの底部スロットを画定し、前記主リテーナは、前記上部支持部材の上に重なる横部材を含み、前記脚部は前記上部スロットを通って延出し、前記冗長ラッチ／確認機構は、前記底部スロットの上に重なる連結部材を含み、前記フィンガは前記側部スロットに配置される、請求項１に記載の急速継手。
【請求項１６】
前記底部支持部材は、横方向に向いたロックリッジを含み、前記フィンガの各々は、ノッチを有するフックを画定し、前記冗長ラッチ／確認機構が前記ラッチ解除位置にあるとき、前記ノッチが前記ロックリッジを取り外し可能に受け取る、請求項１５に記載の急速継手。
【請求項１７】
前記フィンガの各々は、保持領域を含み、前記冗長ラッチ／確認機構が前記ラッチ位置にあるとき、該保持領域が前記底部支持部材の前記ロックリッジを受け取る、請求項１６に記載の急速継手。
【請求項１８】
前記フィンガの各々は、前記ノッチ及び前記保持領域間に移行表面を画定する、請求項１７に記載の急速継手。
【請求項１９】
前記移行表面の各々は、横方向拡大ロックナブを含む、請求項１８に記載の急速継手。
【請求項２０】
前記ロックナブは、前記冗長ラッチ／確認機構が前記ラッチ位置にあるとき、前記ロックリッジと当接関係にある、請求項１９に記載の急速継手。
【請求項２１】
前記中央支持部材の各々は、ロック肩部を画定し、前記脚部の各々は、ラッチを画定し、該脚部の各々の該ラッチは、前記主リテーナが前記ロック位置にあるとき、前記中央支持部材の一方のロック肩部に取り外し可能に固定される、請求項１５に記載の急速継手。
【請求項２２】
前記リテーナビームは、前記冗長ラッチ／確認機構が前記ラッチ位置にあるとき、前記貫通内孔内に露出するような長さである、請求項１３に記載の急速継手。
【請求項２３】
前記リテーナビームには、前記オス部材が前記コネクタ本体内に完全に挿入されるとき、該オス部材の前記アップセットに軸方向に当接する関係にある表面が設けられる、請求項１３に記載の急速継手。
【請求項２４】
前記スロットは、断面が「Ｔ」字形であり、前記冗長ラッチ／確認機構の前記リテーナビームは、断面が「Ｔ」字形であり、該リテーナビームは、前記スロット内に摺動可能に支持される、請求項１３に記載の急速継手。
【請求項２５】
前記リテーナビームは、連結部材から延出し、前記フィンガは、該連結部材から該リテーナビームと同一方向に延出する、請求項１３に記載の急速継手。
【請求項２６】
流体管路内で切り離し可能な接続を行うための急速継手であって、
コネクタ本体であって、該コネクタ本体のオス部材受け取り端部から軸方向後方に延在する貫通内孔を画定し、半径方向内向きに延在するロックパッドを含む、コネクタ本体と、
該コネクタ本体の前記オス部材受け取り端部を通って前記貫通内孔内に延在するオス部材であって、管状表面及び該管状表面の直径より大きな直径を有する環状アップセットを含む、オス部材と、
前記コネクタ本体内に前記オス部材を取り外し可能に固定する主リテーナであって、ロック位置と、互いの間の間隔が増加するロック解除位置との間を移動可能である離間した脚部を含む、主リテーナとを備え、
前記脚部は、前記ロックパッドの内側に配置されて、前記オス部材を軸方向前方に引いた場合に前記脚部が解放位置に移動することを防止する、急速継手。
【請求項２７】
前記コネクタ本体に取り外し可能に結合された個別の冗長ラッチ／確認機構であって、前記コネクタ本体に対して前記主リテーナに接近及びそれから離れる方向に移動して、ラッチ解除位置とラッチ位置との間を移動可能である、個別の冗長ラッチ／確認機構をさらに備える、請求項２６に記載の急速継手。
【請求項２８】
前記冗長ラッチ／確認機構は、前記コネクタ本体内に画定されたスロット内で摺動可能なリテーナビームを含む、請求項２７に記載の急速継手。
【請求項２９】
前記冗長ラッチ／確認機構は、離間したフィンガを含む、請求項２７に記載の急速継手。
【請求項３０】
前記フィンガの各々は、確認タブを含み、前記冗長ラッチ／確認機構は、前記オス部材の前記環状アップセットが前記確認タブと接触している場合だけ前記ラッチ解除位置と前記ラッチ位置との間を移動可能である、請求項２９に記載の急速継手。
【請求項３１】
前記脚部は、横部材によって接続されており、また、該横部材を前記コネクタ本体の方に押し付けることにより、前記ロック位置と前記ロック解除位置との間を横方向に移動可能である、請求項２６に記載の急速継手。
【請求項３２】
前記コネクタ本体は、上部支持部材、該上部支持部材から間隔をおいた１対の側部支持部材であって、該上部支持部材と該側部支持部材との間に１対の上部スロットを画定する１対の側部支持部材を含み、前記本体は、１対の中央支持部材及び１対の底部支持部材をさらに含み、前記中央支持部材及び前記底部支持部材は、１対の側部スロット及び１つの底部スロットを画定し、前記主リテーナは、前記上部支持部材の上に重なる横部材を含み、前記脚部は前記上部スロットを通って延出し、前記冗長ラッチ／確認機構は、前記底部スロットの上に重なる連結部材を含み、前記フィンガは前記側部スロットに配置される、請求項２９に記載の急速継手。
【請求項３３】
前記底部支持部材は、横方向に向いたロックリッジを含み、前記フィンガの各々は、ノッチを有するフックを画定し、前記冗長ラッチ／確認機構が前記ラッチ解除位置にあるとき、前記ノッチが前記ロックリッジを取り外し可能に受け取る、請求項３２に記載の急速継手。
【請求項３４】
前記フィンガの各々は、保持領域を含み、前記冗長ラッチ／確認機構が前記ラッチ位置にあるとき、該保持領域が前記底部支持部材の前記ロックリッジを受け取る、請求項３３に記載の急速継手。
【請求項３５】
前記フィンガの各々は、前記ノッチ及び前記保持領域間に移行表面を画定する、請求項３４に記載の急速継手。
【請求項３６】
前記中央支持部材の各々は、ロック肩部を画定し、前記脚部の各々は、ラッチを画定し、該脚部の各々の該ラッチは、前記主リテーナが前記ロック位置にあるとき、前記中央支持部材の一方のロック肩部に取り外し可能に固定される、請求項３２に記載の急速継手。
【請求項３７】
前記リテーナビームは、前記冗長ラッチ／確認機構が前記ラッチ位置にあるとき、前記貫通内孔内に露出するような長さである、請求項２８に記載の急速継手。
【請求項３８】
前記リテーナビームには、前記オス部材が前記コネクタ本体内に完全に挿入されるとき、該オス部材の前記アップセットに軸方向に当接する関係にある表面が設けられる、請求項２８に記載の急速継手。
【請求項３９】
前記スロットは、断面が「Ｔ」字形であり、前記冗長ラッチ／確認機構の前記リテーナビームは、断面が「Ｔ」字形であり、該リテーナビームは、前記スロット内に摺動可能に支持される、請求項２８に記載の急速継手。
【請求項４０】
前記リテーナビームは、連結部材から延出し、前記フィンガは、該連結部材から該リテーナビームと同一方向に延出する、請求項２８に記載の急速継手。
【発明の詳細な説明】
【技術分野】
【０００１】
本発明は、急速継手を備える流体管路系（fluid line systems）、特に冗長ラッチ／確認機構を有する急速継手に関する。
【背景技術】
【０００２】
自動車及び他の分野において、２つの部品又は導管間を流体接続し、それによってそれらの２部品間に流体管路を確立するために、メスコネクタ本体内に受け取られて密封状に保持されるオス部材を一般的に備える急速継手が使用されることが多い。急速継手の使用は、密封された固定的な流体管路を最小限の時間及び費用で確立することができる点で、好都合である。
【０００３】
急速継手のオス部材及びメスコネクタ本体を合わせて固定するために、多くの方法及び機構が存在する。
【０００４】
１つの形式の保持機構は、コネクタ本体の外側に形成されたスロットに挿入された保持クリップの形のリテーナを使用する必要がある。スロットを貫通して延びるビームが、オス部材のアップセットとスロットを画定する後面との間に均合いが保たれ、それにより、継手の分離が防止される。そのようなリテーナの物理的外観のために、それらは業界では「馬てい形」リテーナと呼ばれる。この形式のリテーナの一例が、Kalahasthy他の米国特許第５，５８６，７９２号に見られ、この特許は参照によって本明細書に援用される。‘７９２号特許に開示されている「馬てい形」リテーナは、継手の複雑さを大して増大させることなく、継手の分離を容易にすることができる。２００５年３月２３日に出願された米国出願第１１／０８７，３５８号は、馬てい形リテーナを有する継手と冗長ラッチ／確認機構との種々の構造を開示した。当該出願の開示は、参照によって本明細書に援用される。
【発明の開示】
【０００５】
〔発明が解決しようとする課題及び課題を解決するための手段〕
本発明の急速継手は、‘７９２号特許及び出願第１１／０８７，３５８号に開示されている継手の形式の代替形態である。本発明の構造は、急速継手の組み付け時に、関連するチューブがその完全挿入位置にない限り冗長ラッチ／確認機構がそのラッチ位置に移動できないという利点を提供する。これにより、その位置が、チューブが完全に挿入されていないことを物理的且つ視覚的に示す。本発明の構造は、オス部材をコネクタ本体に対して前方に引いてから軸周りに捻るすなわち回転させても、主リテーナの脚部がそのロック位置からそのロック解除位置に誤って移動する可能性がないという利点も提供する。
【０００６】
ラッチ位置に置かれると、冗長ラッチ／確認機構は主リテーナによるチューブの意図しない解放を防止する。冗長ラッチ／確認機構は、主リテーナが故障した場合でもコネクタ本体内にチューブのオス部材を独立して保持することも可能である。
【発明を実施するための最良の形態】
【０００７】
流体管路系に関連して本発明の急速継手を説明する。それは、剛性チューブと他の流体搬送部品、特にフレキシブルホースとの間の取り外し可能な接続部として示されている。しかし、継手には、加圧状態であろうと非加圧状態であろうと、流体経路の剛直部品の接続等、液密でありながら取り外し可能な接続が望まれる他の多くの用途がある。一例として自動車用の燃料送出システムがあり、別例として車両用の給油パイプ構造がある。別例には、車両用の給油パイプ構造がある。
【０００８】
図１乃至図３は、流体管路内で切り離し可能な接続を行うための急速継手１１０を示す。図３に最もわかりやすく見えるように、継手１１０は、主リテーナ部材１１６及び別体の冗長ラッチ／確認機構部材１１８によって取り外し可能に合わせて固定されたほぼ円筒形のメスコネクタ本体１１２及びオス部材１１４で構成されている。オス部材１１４は、流体管路系の一部を形成する中空チューブの一端部に形成される。使用の際に、メスコネクタ本体１１２は、やはり流体管路系の一部である図３に示されているようなチューブ又はホース１１３に接続される。メスコネクタ本体１１２及びオス部材１１４は、流体管路内に永久的であるが切り離し可能な接合部を形成するように接続可能である。
【０００９】
図３に示されているように、オス部材１１４は、剛性チューブの端部に形成されている。オス部材１１４は、開放チューブ端部又は先端１９２から所定距離をおいた位置に半径方向当接面１９１を画定する半径方向拡大アップセット１９０を有する。チューブ端部又は先端１９２は、丸みを付けるか、又はテーパ状にして、コネクタ本体１１２内へのオス部材１１４の挿入し難さを軽減することができる。アップセット１９０とチューブ端部１９２との間には、チューブの外面により画定される平滑なほぼ円筒形のシール表面１９４が延在している。チューブは、チューブ端部から離れる方向にアップセット１９０を越えて続き、ほぼ平滑な円筒形表面１９５を画定している。円筒形表面１９５は一般的に、円筒形シール表面１９４と同一直径である。
【００１０】
コネクタ本体１１２は、図４乃至図７に詳細に示されている。図４乃至図６に最もわかりやすく見えるように、コネクタ本体１１２は、ほぼ円筒形の段差付き半径方向内壁１２０によって画定されている。図示のコネクタ本体１１２は、好ましくはポリアミド等のプラスチック材料で成形される。本体外側は、本発明から逸脱することなく任意の所望の形状をとることができることを理解されたい。たとえば、コネクタ本体には一般的な形状である、端部間に９０°のベンドを有することができるであろう。
【００１１】
図６に示されているように、内壁１２０は、長手軸１２４に中心が位置する貫通内孔１２６を画定する。本明細書で使用される「軸方向」及び「軸方向に」という用語は、中心軸１２４に長手方向に沿っていることを意味することに留意されたい。「横方向」、「横方向に」、「横断方向」及び「横断方向に」という用語は、軸１２４に接近及びそれから離れる、軸１２４に対してほぼ垂直な平面上を意味する。
【００１２】
コネクタ本体１１２の内孔１２６は、大径のオス部材受け取り端部１２８から小径のホース接続端部１３０まで、コネクタ本体１１２内を完全に貫通している。コネクタ本体１１２の内壁１２０の直径の変化により、貫通内孔１２６が個別部分に分割される。オス部材受け取り端部１２８からホース接続端部１３０まで軸方向後方に進むと、それらはリテーナハウジング部分１３２、シール室１３４、チューブ端部受け取り部１３６、及び流体通路１３８である。後方という用語は、中心軸１２４にほぼ沿ってオス部材受け取り端部１２８から軸方向にホース接続端部１３０に向かう方向を意味するために本明細書で使用されることに留意されたい。前方という用語は、中心軸１２４にほぼ沿ってホース接続端部１３０から軸方向にオス部材受け取り端部１２８に向かう方向を意味する。
【００１３】
リテーナハウジング部分１３２は、オス部材受け取り端部１２８に隣接している。リテーナハウジング部分１３２は、オス部材受け取り端部１２８に貫通内孔１２６への入口穴又は開口１２７を画定する横断方向の平坦な前面１２９を有する前方リム１４０によって画定される。前方リム１４０は、貫通内孔１２６に通じるギャップ又は空間１３９によって隔てられる後方リム１４２から離間している。空間１３９の軸方向の範囲（extent）は、前方リム１４０の後面１４１及び後方リム１４２の前面１４３によって画定される。図７及び図８に示されているように、これらの表面１４１、１４３は、弓形の上部支持部材１４４、２つの側部支持部材１４６、２つの中央支持部材１５０、及び２つの底部支持部材１５４によって連結されている。後方リム１４２の底部にノッチ１４７が画定されている。上部支持部材１４４の上側湾曲面は、後方リム１４２の半径方向最外縁部から半径方向内側に幾分凹んでいる。上部支持部材１４４及び表面１４１、１４３は、主リテーナ１１６の横部材を受け取るポケット１７７を画定している。
【００１４】
明確にするために、急速継手１１０は、その長手方向の部分が水平面上に配置されて示されており、「上部」、「底部」、及び「側部」という用語は、コネクタ本体１１６を説明する際に用いられていることに留意されたい。「上部」構造は主リテーナ１１６に関連し、底部構造は冗長ラッチ／確認機構１１８に関連することが理解されるであろう。しかしながら、使用の際に、継手１１０は、水平面及び鉛直面に関係なく任意の向きにあることができ、「上部」及び「底部」は本明細書の説明にのみ該当する。
【００１５】
上部支持部材１４４と２つの側部支持部材１４６との間の空間１３９が、１対の第１の、すなわち上部スロット１５８を画定している。２つの中央支持部材１５０と２つの底部支持部材１５４との間の空間１３９が、上部支持部材１４４と真向かいの第２の、すなわち底部スロット１６６を画定している。２つの側部支持部材１４６と底部支持部材１５４との間の空間１３９が、１対の第３の、すなわち側部スロット１６２を画定している。スロット１５８、１６２及び１６６は貫通内孔１２６に通じている。
【００１６】
上部スロット１５８は、コネクタ本体１１２の中心軸１２４を横切る方向に主リテーナ１１６の脚部を受け取って、その位置決めを行う。底部スロット１６６は、コネクタ本体１１２の中心軸１２４を横切る方向に冗長ラッチ／確認機構１１８のビームを受け取って、その位置決めを行う。主リテーナ１１６及び冗長ラッチ／確認機構１１８の両方の構成要素は、側部スロット１６２内にある。
【００１７】
図６及び図７に最もわかりやすく見えるように、コネクタ本体１１２の後方リム１４２の前面１４３は、リム１４０と１４２との間の空間１３９の一部を占める一連の前方に延出している軸方向の突出部又は本体支柱１４８、１５２、及び１５９を含む。これらの突出部又は本体支柱は、コネクタ本体に一体成形される。湾曲上壁１４４の横方向端部には、１対の第１の、すなわち上側本体支柱１４８が配置される。これらの上側本体支柱１４８の各々は、上部湾曲面１４９を含む。上側本体支柱１４８及び上部支持部材１４４の下には、内側湾曲面１５１が延びている。上側本体支柱１４８は、前方リム１４０の後面１４１と向き合う、図７に最もわかりやすく見える前面１３７を含む。
【００１８】
１対の第２の、すなわち中央放物形本体支柱１５２は、貫通内孔１２６の両側に約１８０°（度）離れて横方向に配置される先端又は頂点１６３を含む。放物形中央本体支柱１５２は、半径方向外側を向いており、中心軸１２４を概ね通るほぼ水平面にある頂点１６３で合流する上側湾曲面１５３及び下側湾曲面１５５を含む。各中央本体支柱１５２はさらに、第１本体支柱１４８及び上部支持部材１４４の半径方向内側湾曲面１５１と同じ曲率半径で形成される半径方向内側湾曲面１５６を含む。内側湾曲面１５６は、キャッチ１５７において下側湾曲面１５５と交わる。
【００１９】
第３の、すなわち底部突出部又はプラトー（plateau）１５９は、中央支持部材１５０と底部支持部材１５４との間に延びる本体１１２の固形（ソリッド）部分である。これは、前方リム１４０の後面１４１の方に向き合う、図６及び図７に最もわかりやすく見える平面１７１を画定している。底部突出部１５９は、底部支持部材１５４に向かう方向に下方に角度をなして中央支持部材１５０から横断方向外向きに延びる離間したレッジ１６０を含む。底部突出部１５９の半径方向すなわち横方向外側の範囲は、平行に短距離延びてから底部支持部材１５４に向かって収束する離間した側壁１６１によって画定されている。
【００２０】
底部突出部１５９はさらに、上側本体支柱１４８と湾曲した上部支持部材１４４とにより画定される半径方向内側湾曲面１５１と同じで、かつ中央本体支柱１５２の内側湾曲面１５６と同じ曲率半径で、半径方向内側湾曲面１６４を含む。内側湾曲面１５１、１５６、及び１６４は、円筒の一部であり、アップセット受け取りポケット１６５を画定している。
【００２１】
底部スロット１６６は、図５及び図７に最もわかりやすく見える、中央支持部材１５０の離間した内面１６７と底部支持部材１５４の離間した内面１６９との間に横方向に延在する拡大部分と、横方向表面１７５間に横断方向に延在する、図５及び図８に最もわかりやすく見える細幅部分とを有する。横方向表面１７５は、互いに平行且つ表面１６９と平行であり、内部内孔１２６まで延びている。底部スロット１６６の断面は、ほぼ「Ｔ」字形である。底部突出部１５９の平面１７１が、底部スロット１６６の最も後方の表面を画定する。図５及び図６に見られるように、最も前方の表面１７３が、底部スロット１６６の前部を画定する。
【００２２】
中央支持部材１５０の各々が、図７に最もわかりやすく見えるロック肩部１６８を画定している。これは、以下で説明されるように主ロックリテーナ１１６と相互作用する。
【００２３】
図７及び図８に示されているように、ロックリッジ１７２が、各底部支持部材１５４の外縁部から横方向に延出し、平坦部１７４を画定している。図４に示されているように、ロックリッジ１７２は、前方リム１４０の後面１４１から後方リム１４２の前面１４３まで軸方向に延びている。以下で説明されるように、ロックリッジは冗長ラッチ／確認機構とともに機能する。
【００２４】
シール室１３４は、リテーナハウジング部分１３２の軸方向後方に形成されている。シール室１３４は、壁１２０の、リテーナハウジング部分１３２より小径の部分によって画定されている。シール室１３４は、円錐形肩部７８から半径方向肩部８０まで軸方向後方に延在している。ショルダ７８の軸方向後方で、壁１２０に環状リセス７９が設けられている。シール室１３４は、シール部材を収容し、それにより、コネクタ本体１１２とオス部材１１４との間を液密にするために設けられている。
【００２５】
図３に示されているように、オス部材１３４とシール室１３４との間に２つのＯリングシール４６及び４８が半径方向に配置されて、剛性スペーサリング５０によって分離されている。Ｏリング４６及び４８は、シール室１３４の内側及びオス部材１１４のシール表面１９４の周囲に締まりばめされる寸法である。Ｏリング４６及び４８は、中空のスペーサスリーブ５２によってシール室１３４内に固定されている。スペーサスリーブ５２には、壁１２０の円錐形肩部７８に当接し、それにより、スリーブ５２を内孔１２６内に位置決めする円錐形拡大端部５４が設けられている。スペーサスリーブ５２を内孔１２６内に確実に固定するために、スリーブ５２の外周に隆起環状部分５６が形成されている。隆起部分５６は、壁１２０に形成されたリセス７９内にはめ合い状に受け取られ、それによってスリーブ５２を所定位置にロックする。
【００２６】
チューブ端部受け取り部１３６は、シール室１３４の軸方向後方に形成されている。チューブ端部受け取り部１３６は、壁１２０の、シール室１３４より小径の部分によって画定されて、半径方向肩部８０の小径端部から円錐形肩部８２まで軸方向後方に延在している。チューブ端部受け取り部１３６は、オス部材１１４シール表面１９４を受け取って導く、すなわち案内することができる寸法である。
【００２７】
流体通路１３８は、壁１２０の最小直径の部分によって画定されている。流体通路１３８は、円錐形肩部８２の小径端部からホース接続端部１３０まで続いている。壁１２０の、流体通路１３８を取り囲む部分は、流体管路内の別の部品に接続しやすいように構成されている。例えば、図示のコネクタ本体１１２は、フレキシブルホース１１３との接続用の特殊な形状になっており、ホース１１３内部に対してシールするために、バーブ８５及びＯリングシール８４を収容する溝を有する。もちろん、上述したように、任意の他の適当な接続構造を使用して流体系を完成することができる。
【００２８】
主「馬てい形」リテーナ１１６が、図９乃至図１１に詳細に示されている。それは好ましくは、プラスチック等の弾性的な可撓性材料で成形される。主リテーナ１１６は、リテーナハウジング部分１３２の上部スロット１５８を通って横断方向に延出して、コネクタ本体１１２に離脱可能に結合される。
【００２９】
主リテーナ１１６には、横部材１９８から延出して、一端部でそれに接合されている１対の細長いほぼ平行の脚部１９６が設けられている。解除突出部２０８が、横部材１９８の半径方向内面に形成されている。解除突出部２０８は、上部支持部材１４４の両側にある上側本体支柱１４８の軸方向長さにほぼ等しい距離だけ、脚部１９６の後面２０４から軸方向に延出している。解除突出部２０８は、主リテーナ１１６がコネクタ本体１１２に取り付けられると上部支持部材１４４と離間関係で横部材１９６の中央領域を支持する、ランプ又はカム面２０９を画定している。横部材１９８は、オス部材１１４の円筒形シール表面１９４の外径にほぼ等しい離隔距離を脚部１９６間に設ける。脚部１９６は、上側本体支柱１４８の横断方向端部１３９と後面１４１との間の上部スロット１５８の軸方向長さにほぼ等しいが、（隙間を与えるために）わずかに小さい軸方向長さを有する。脚部１９６の横幅は、上部スロット１５８の横幅より相当に狭く、それにより、理解されるようにオス部材を挿抜するために脚部１９６を外向きに拡開できるようにしている。
【００３０】
横部材１９８は、脚部１９６より相当に広い軸方向幅を有する。図１０に示されているように、横部材１９８は、脚部１９６の前面２０２と軸方向に整合しているが、脚部１９６の後面２０４を軸方向に越えて延出している。
【００３１】
各脚部１９６は、横部材１９８から遠い端部に形成されたラッチ２０６を有する。主リテーナ１１６をコネクタ本体１１２内へ完全に挿入すると、ラッチ２０６は主リテーナ１１６をコネクタ本体１１２に対して所定位置にロックする。ラッチ２０６によって画定されたラッチ縁部２１２が、コネクタ本体１１２の中央支持部材１５０によって画定されたロック肩部１６８に係合し、それにより、主リテーナ１１６を所定位置に解除可能にロックする。各脚部１９６は、図９及び図１０に見られる傾斜表面２０５を有し、これは中央支持部材１５０の上部横方向外側縁部と相互作用し、それによって主リテーナを上方に押し進める。脚部１９６の弾性特性が、この関係を確実にする。
【００３２】
食い付き（lead）領域２１０が、脚部１９６の前面２０２に形成されている。これらの領域２１０は、各脚部の前面２０２から半径方向内方及び軸方向後方に傾斜して、各脚部の前面２０２及び後面２０４のほぼ中間で終了する。食い付き領域２１０の食い付き縁部間の空間は、前面２０２付近で最大である。この場合、その空間は、オス部材１１４に形成されたアップセット１９０の外側直径及び外側周面にほぼ等しい。食い付き領域２１０の内側縁部２１６において、食い付き領域２１０間の空間は、オス部材１１４のシール表面１９４の外径にほぼ等しい。食い付き領域２１０の、ラッチ２０６により近い部分は２１８の位置で内向きに湾曲し、それにより、オス部材アップセット１９０の環状輪郭に一致している。この形状は、コネクタ本体１１２内を通るオス部材１１４の案内及びセンタリングを助ける。
【００３３】
冗長ラッチ／確認機構１１８が、図１２乃至図１５に詳細に示されている。冗長ラッチ／確認機構１１８は、底部スロット１６６及び側部スロット１６２内に位置決めされる要素を含み、コネクタ本体１１２に離脱可能に結合される。
【００３４】
冗長ラッチ／確認機構１１８は好ましくは、プラスチック等の弾性的な可撓性材料で成形される。冗長ラッチ／確認機構１１８は、底部支持部材１５６に対してコネクタ本体１１２を横切る方向で、湾曲した上部支持部材１４４に、したがって主リテーナ１１６に接近及びそれから離れる方向に、半径方向内側のすなわちラッチ位置と半径方向外側のすなわちラッチ解除位置との間を摺動可能である。
【００３５】
冗長ラッチ／確認機構１１８は、半径方向内面２２７を有する連結部材２２４を備え、リテーナビーム２１９がこの連結部材から延出しており、１対の横方向に離間した湾曲したほぼ弾性的なフィンガ２２２が連結部材２２４から上向きに、且つリテーナビーム２１９と同じ方向に延出している。コネクタ本体１１２に組み付けられると、内面２２７はコネクタ本体１１６の底部スロット１６６にほぼ重なり、リテーナビーム２１９が底部スロット１１６内に摺動可能に配置される。各フィンガ２２２は側部スロット１６２の一方内にある。
【００３６】
各フィンガ２２２は、内向き先端２３１を有する横方向内向きのフック２３０を有するナックル２２５を含む。冗長ラッチ／確認機構１１８がその外側すなわちラッチ解除位置にあるとき、フック２３０によって画定されたネスト領域（nesting areas）２３２が、底部支持部材１５４によって画定されたロックリッジ１７２に係合し、それにより、冗長ラッチ／確認機構１１８をコネクタ本体２１２に取り外し可能に固定する。
【００３７】
フック２３０のネスト領域２３２と連結部材２２４との間に位置する各ナックル２２５の内面は、ランプ面２３４及び横方向拡大表面又はノックナブ２３６の形をとる移行表面と、保持領域２３７とを画定する。２つのナックル２２５のランプ面２３４間の距離は、コネクタ本体の底部支持部材１５４のロックリッジ１７２間の距離より短い。横方向拡大表面２３６間の距離は、ロックリッジ１７２の横方向外縁部間の間隔より狭い。２つのフィンガの保持領域２３７間の距離は、ロックリッジ１７２間の距離にほぼ等しい。
【００３８】
冗長ラッチ／確認機構１１８のリテーナビーム２１９は、横方向拡大部分２２０及び細幅部分２２１を有する。拡大部分２２０の横幅は、中央支持部材１５０の離間壁面１６７と底部支持部材１５４の離間壁面１６９との間の底部スロット１６６の拡大部分の横幅よりわずかに狭い。細幅部分２２１の横幅は、横方向に離間した壁１７５の間の底部スロット１６６の細幅部分の横幅よりわずかに狭い。
【００３９】
図１２に最もわかりやすく見えるように、リテーナビーム２１９の断面は「Ｔ」字形である。細幅部分２２１が「Ｔ」字形の脚を形成し、拡大部分２２０が「Ｔ」字形の上部の横棒を形成する。リテーナビーム２１９は拡大部分２２０上に、底部突出部１５９の平面１７１と向き合う当接又は後面２２８を有する。リテーナビームの細幅部分２２１は、横方向表面１７５間に画定された底部スロット１６６の細幅部分と向き合う前面２２９を有する。リテーナビーム２１９は拡大部分２２０に、底部支持部材１５４の壁面１６９及び中央支持部材１５０の壁面１６７に対して近接した位置で摺動可能である横方向側壁を有する。図１５に最もわかりやすく見えるように、リテーナビーム２１９の細幅部分２２１は、コネクタ本体１１２の底部スロット１６６の細幅部分の横方向壁１７５に対して近接した位置で摺動可能である横方向側壁を有する。リテーナビーム２１９の細幅部分２２１の前面２２９は、ランプ面２３３によって画定された面取り部分を備える。冗長ラッチ／確認機構１１８をコネクタ本体１１２に取り付けるとき、ランプ面２３３はコネクタ本体１１８のオス部材受け取り端部１２８の方に向き合う。
【００４０】
本発明によれば、冗長ラッチ／確認機構１１８の各フィンガ２２２はさらに、ナックル２２５の端部から延びて自由端又は遠位端に形成された確認タブ２４２で終了する延長ビーム２４０を含む。延長ビーム２４０及び確認タブ２４２の後面２４４は、ナックル２２５の後面２４８と同一平面にある。しかしながら、延長ビーム２４０及び確認タブ２４２の前面２４７は、図１２及び図１４に示されているように、ナックル２２５の前面２４９の軸方向後方に離間しており、延長ビーム２４０及び確認タブ２４２の軸方向の厚さがナックル２２５の軸方向の厚さより薄くなっている。延長ビーム２４０及び確認タブ２４２の厚さとナックル２２５の厚さとの差は、アップセット１９０の厚さすなわち軸方向の長さと少なくとも同じとなっている。
【００４１】
図１５に最もわかりやすく見えるように、各確認タブ２４２は、丸み付き縁部２５０、第１傾斜縁部２５２、第２傾斜縁部２５４、及びロック縁部２５６を有する。丸み付き縁部２５０と第１傾斜縁部２５２との接合部は、点２５１を形成する。導入ランプ面２６０が、各確認タブ２４２の前面２４７に形成されている。導入ランプ面２６０は、各確認タブ２４２の前面から半径方向内方及び軸方向後方に傾斜して、第１傾斜縁部２５２及び第２傾斜縁部２５４で終了する。対向する導入ランプ面２６０間の間隔は、延長ビームの前面２４７付近で最大である。導入ランプ面２６０の形状及び間隔は、オス部材アップセット１９０の環状輪郭に一致しており、冗長ラッチ／確認機構１１８がラッチ解除位置にあるとき、オス部材１１４をコネクタ本体１１２に挿入するとアップセット１９０が導入ランプ面２６０と接触することができるようにする。対向する第１傾斜縁部２５２間の間隔は、冗長ラッチ／確認機構１１８がラッチ解除位置にあるとき、円筒形シール表面１９４が確認タブ２４２と接触せずにコネクタ本体１１２に挿入されるのに必要な間隔より大きい。
【００４２】
延長ビームの本体支柱縁部２５８が、ロック縁部２５６まで延びている。ロック縁部２５６及び本体支柱縁部２５８は、冗長ラッチ／確認機構１１８がロック解除位置にあるときに中央本体支柱１５２を受け取るための座部２６２を画定する。確認タブ２４２の丸み付き縁部２５０は、冗長ラッチ／確認機構がラッチ位置にあるときに中央本体支柱１５２の上側湾曲面１５３と係合する形状及び寸法である。
【００４３】
組み付け状態の急速継手１１０が、図１乃至図３に最もわかりやすく見える。主リテーナ１１６をコネクタ本体１１２に取り付ける。主リテーナ１１６の脚部１９６をリテーナハウジング部分１３２の上部スロット１５８に通して延出させる。主リテーナ１１６は、横部材１９８及び解除突出部２０８が上部支持部材１４４の湾曲上面１４５の上方に位置するような向きにされる。脚部１９６の食い付き領域２１０がオス部材受け取り端部１２８と向き合う。
【００４４】
横部材１９８に下向きすなわち半径方向内向きの力を加えることによって脚部１９６を上部スロット１５８に挿入することにより、主リテーナ１１６がコネクタ本体１１２に取り付けられる。脚部１９６が中央支持部材１５０の側部と接触したとき、下向き力を増加する必要がある。十分な下向き力を加えると、脚部１９６の丸み付き端部が中央支持部材１５０の側部を摺動し、脚部１９６を拡開させて、脚部１９６が中央支持部材１５０を通過できるようにする。脚部１９６上のラッチ２０６が中央支持部材１５０を通り過ぎると、脚部１９６は横方向内向きに跳ねて、ラッチ縁部２１２が中央支持部材１５０のロック肩部１６８の下側に配置され、それにより、主リテーナ１１６がコネクタ本体１１２に解除可能にロックされる。
【００４５】
主ラッチ１１６がコネクタ本体１１２に組み付けられると、横部材１９８は、前方リム１４０の後面１４１、後方リム１４２の前面１４３、及び上部支持部材１４４の湾曲上面１４５によって画定されたポケット１７７内に入る。脚部１９６は、上部支持部材１４４と側部支持部材１４６との間のギャップ、及び上側本体支柱１４８と前方リム１４０の後面１４１との間のギャップを通って側部スロット１６２に延出する。
【００４６】
図１に見えるように、適切な取り付け位置では、脚部１９６は、前方リム１４０の後面１４１と底部突出部１５９に形成された平面１７１との間に軸方向に配置される。解除突出部２０８のランプ面２０９は、上部本体支柱１４８の上部湾曲面１４９の上に載る。横部材１９８の中央に半径方向内向きの圧力を加えて、横部材を上部支持部材１４４の方に押し進めると、ランプ面２０９が上側本体支柱１４８と接触して摺動し、それによって脚部１９６は拡開して、ラッチが側部スロット１６２内で横断方向外向きに移動する。この動作により、オス部材をコネクタ本体１１２から引き抜くことが望まれる場合、オス部材１１４を解放することができるようになる。
【００４７】
適切に取り付けられた主リテーナ１１６が、図１及び図１９に示されている。取り付け位置では、側部から見たとき、主リテーナ１１６の脚部１９６は、内孔１２６の軸１２４に対してほぼ垂直である。前方又は後方から見たとき、脚部１９６は内孔１２６の軸１２４からほぼ等間隔に位置する。
【００４８】
主リテーナ１１６をコネクタ本体１１２に適切に取り付けると、次に、図１６に示されているように、ナックル２２５のフック２３０が底部支持部材１５４のロックリッジ１７２を捕らえて、フィンガ２４２の本体支柱縁部２５８が中央本体支柱１５２の下側湾曲面１５５と当接関係になるまで、フィンガ２２２を、側部スロット１６２に、横断方向上向きすなわち半径方向内向きの方向で挿入することにより、冗長ラッチ／確認機構１１８をコネクタ本体１１２にラッチ解除位置で取り付ける。同時に、冗長ラッチ／確認機構１１８のリテーナビーム２１９を、コネクタ本体１１２の底部スロット１６６に挿入する。ラッチ解除位置では、図１に示すように、延長ビーム２４０及び確認タブ２４２は、後方リム１４２の前面１４３と主リテーナの脚部１９６との間に軸方向に位置決めされる。同様にラッチ解除位置では、ナックルの上側部分は、後方リム１４２の前面１４３と前方リム１４０の後面１４１との間に軸方向に位置決めされる。
【００４９】
このラッチ解除位置では、冗長ラッチ／確認機構１１８は、コネクタ本体１１２に対して軸方向及び半径方向に移動するのを阻止される。延長ビーム２４０の後面２４４及びナックル２２５の後面２４８と後方リム１４２の前面１４３との当接関係により、冗長ラッチ／確認機構１１８の軸方向後方移動が阻止される。ナックル２２５の前面２４９と前方リム１４０の後面１４１との当接関係により、冗長ラッチ／確認機構１１８の軸方向前方移動が阻止される。
【００５０】
延長ビーム２４０は、主リテーナ１１６の脚部１９６の後方で側部スロット１６２に収まる。前面２４７は、脚部１９６の後面２０４に近接している。フィンガ２２２のフック２３０とロックリッジ１７２との係合により、冗長ラッチ／確認機構１１８が半径方向外向きすなわち横断方向下向きに移動するのが阻止される。さらに、ラッチ解除位置では、中央本体支柱は、確認タブ２４２のロック縁部２５６及び本体支柱縁部２５８により画定された座部２６２内に位置し、中央本体支柱のキャッチ１５７は、確認タブ２４２のロック縁部２５６の横方向のすぐ外側にある。確認タブ２４２の本体支柱縁部２５８と中央本体支柱１５２の下側湾曲面１５５との当接関係により、冗長ラッチ／確認機構１１８が半径方向内向きすなわち横断方向上向きに移動するのが阻止される。確認タブ２４２のロック縁部２５６とキャッチ１５７との当接関係により、フィンガ２２２が横方向外向きに拡開するのが防止されるため、相当量の半径方向内向きすなわち横断方向上向きの力が冗長ラッチ／確認機構１１８に加えられた場合でも、本体支柱縁部２５８と下側湾曲面１５５との当接関係が維持される。この状態では、冗長ラッチ／確認機構はラッチ解除位置から移動できない。
【００５１】
冗長ラッチ／確認機構１１８をそのラッチ解除位置でコネクタ本体１１２に取り付けた状態で、オス部材１１４をコネクタ本体１１２に軸方向に挿入して流体経路を完成することができる。オス部材１１４を軸方向に挿入するとき、チューブ１１４の端部又は先端１９２が後方に移動して、主リテーナ１１６の脚部１９６に画定される各食い付き傾斜面２１０と接触する。脚部１９６間の間隔がオス部材１１４のシール表面１９４の外径にほぼ等しいので、オス部材１１４のシール表面１９４は、抵抗をほとんど、又はまったく受けないで、脚部１９６間を通ってシール室１３４に入る。
【００５２】
オス部材１１４のアップセット１９０が脚部１９６と接触するとき、挿入に対する抵抗が発生する。十分な軸方向後向きの力を加えるときだけ、脚部１９６の食い付き領域２１０によってアップセット１９０が脚部１９６間を通過することができる。アップセット１９０は、脚部１９６間を通過するとき、食い付き領域２１０に沿って載って脚部１９６を半径方向すなわち横方向外向きにたわませる。アップセット１９０は、主リテーナ１１６の脚部１９６を通過すると、脚部１９６の軸方向のすぐ後方に位置する確認タブ２４２の導入ランプ面２６０と接触する。アップセットは、確認タブ２４２の導入ランプ面２６０と係合して、冗長ラッチ／確認機構１１８のフィンガ２２２を半径方向すなわち横方向外向きにたわませ、一方主リテーナ１１６の脚部１９６はアップセット１９０の背後でロック位置に跳ね返る。確認タブ２４２の厚さはオス部材アップセット１９０の軸方向長さよりわずかに長いため、冗長ラッチ／確認機構１１８のフィンガ２２２が半径方向すなわち横方向外向きにたわんでアップセット１９０を受け入れると、アップセット１９０の全長が確認タブ２４２間に位置することができる。
【００５３】
主リテーナ１１６がロック位置にある状態では、脚部１９６の後面２０４はアップセットの当接面１９１と当接して、オス部材１１４がコネクタ本体１１２から抜けることを防止する。図３に示されているように、スペーサスリーブ５２は、オス部材１１４がコネクタ本体１１２内のさらに奥に挿入されることを防止する。
【００５４】
主リテーナ１１６の脚部１９６がロック位置にある状態では、アップセット１９０は冗長ラッチ／確認機構１１８のフィンガ２２２をスロット１６２内で横方向外向きに、図１７に示される位置にたわませる。確認タブ２４２は内孔１２６の軸１２４の横断方向下方に、同様にオス部材１１４の軸の下方に位置するため、オス部材１１４がコネクタ本体１１２内に後方に挿入されると、アップセット１９０の下半球がフィンガ２２２の導入ランプ面２６０と接触する。アップセット１９０の下半球とフィンガ２２２との接触は、フィンガ２２２に後向きの力を加えるだけでなく、フィンガ２２２に下向きの力も加えて、冗長ラッチ／確認機構１１８をオス部材１１４の軸から離れる横断方向下向き、すなわち半径方向外向きに押すことにより、ロック縁部２５６を中央本体支柱１５２のキャッチ１５７の横断方向下方に位置付けることができる。ロック縁部２５６がキャッチ１５７から離れている状態では、フィンガ２２２は、図１７に示されているように第２傾斜縁部２４５が中央本体支柱の下側湾曲面のすぐ下に位置する位置へ、妨げられずに半径方向すなわち横方向外側に拡開することができる。
【００５５】
この実施形態での主リテーナ１１６及び冗長ラッチ／確認機構１１８の構造、すなわち冗長ラッチ／確認機構１１８の確認タブ２４２を主リテーナ１１６の脚部１９６の軸方向のすぐ後方に位置付ける構造は、アップセット１９０が主リテーナ１１６の脚部１９６を完全に通過した後でのみ、冗長ラッチ／確認機構１１８のフィンガ２２２が横方向外向きに拡開できることを確実にすることに留意すべきである。換言すれば、オス部材１１４がコネクタ本体１１８に完全に挿入されて、主リテーナ１１６の脚部１９６がロック位置になった後でのみ、冗長ラッチ／確認機構１１８のフィンガ２２２は外向きに拡開できる。
【００５６】
冗長ラッチ／確認機構１１８をラッチ位置に配置することにより、継手の組み付けが完了する。冗長ラッチ／確認機構１１８をラッチ位置に配置するために、連結部材２２４に（コネクタ本体１１２の方に向けて）横断方向上向きすなわち半径方向内向きの力を加える。十分な横断方向上向きすなわち半径方向内向きの力により、確認タブ２４２の傾斜縁部２５２及び２５４が中央本体支柱１５２の下側湾曲面１５５を摺動して、フィンガ２２２をさらに拡開させ、確認タブ２４２の点２５１が中央本体支柱１５２の先端又は頂点１６３を越えることができるようにする。確認タブ２４２の点２５１が中央本体支柱１５２の先端１６３を越えると、フィンガ２２２は、図１８及び図１９に示されているように確認タブの丸み付き縁部２５０が中央本体支柱の上側湾曲面１５３と係合するラッチ位置へ、横方向内向きにはまる。丸み付き縁部２５０と上側湾曲面１５３との係合は、冗長ラッチ／確認機構１１８がコネクタ本体１１２から横断方向下向きすなわち半径方向外向きにラッチ解除位置へ誤って移動することを防止する。
【００５７】
さらに、冗長ラッチ／確認機構１１８を主リテーナ１１６の方に向かう横断方向にそのラッチ位置へ移動させると、底部支持部材１５４のロックリッジ１７２がフィンガ２２２のネスト領域２３２から押し出される。ランプ面２３４がロックリッジ１７２の上に載ってフィンガ２２２を外向きにたわませ、それにより、フィンガ２２２を拡開させて、拡大表面２３６がロックリッジ１７２を通過することができ、その時、ロックリッジ１７２は保持領域２３７間に位置する。冗長ラッチ／確認機構１１８はまた、この時、フィンガ２２２の弾性的特性、及び横方向拡大表面２３６とロックリッジ１７２との当接関係による保持領域２３７とロックリッジ１７２との相互作用により、ラッチ位置に解放可能に保持される。冗長ラッチ／確認機構１１８がそのラッチ位置にあるとき、フィンガ２２２の自由端部に位置するフック２３０は、脚部１９６の自由端部に位置するラッチ２０６の横方向外側で側部スロット１６２内に位置している。フィンガ２２２上のフック２３０の内面間の距離は、主リテーナ１１６のラッチ２０６の位置における脚部１９６の外面間の距離よりわずかに長い。フィンガ２２２の軸方向幅は、脚部１９６の軸方向幅にほぼ等しい。注目すべきことに、フィンガ２２２の長さは、冗長ラッチ／確認機構１１８がラッチ位置にあるとき、フィンガ２２２が脚部１９６の外向きのたわみを妨害し、それにより、フィンガ１９６が中央支持部材１５０のロック肩部１６８に確実にロックされたままであるようにする長さである。
【００５８】
同時に、リテーナビーム２１９は、オス部材１１４の方に向けて横断方向上向きすなわち半径方向内向きに移動する。ラッチ位置では、リテーナビーム２１９の後面２２８は、オス部材１１４のアップセット１９０の当接面１９１に軸方向に当接した関係にある。リテーナビーム２１９とアップセット１９０との間のこの軸方向当接関係も、オス部材１１４がチューブ受け取り端部１２８から軸方向外向きに移動することを防止して、オス部材１１４をコネクタ本体１１２内に保持する冗長ラッチ特徴を与える。したがって、冗長ラッチ／確認機構１１８は、主リテーナ１１６が故障した場合でもコネクタ本体１１２内にチューブのオス部材１１４を独立して保持することが可能である。
【００５９】
上述したように、冗長ラッチ／確認機構１１８がラッチ解除位置にあるとき、冗長ラッチ／確認機構１１８のフィンガ２２２は、オス部材１１４がコネクタ本体１１８に完全に挿入された後でのみ、横断方向外向きに拡開できる。そのため、ロック縁部２５６がキャッチ１５７から離れているときに連結部材２２４に横断方向上向きすなわち半径方向内向きの力を加えることにより、冗長ラッチ／確認機構１１８をラッチ位置に配置するには、オス部材１１４がコネクタ本体１１８に完全に挿入されていることも必要である。したがって、冗長ラッチ／確認機構１１８がラッチ位置にあることで、オス部材１１４がコネクタ本体１１８に完全に挿入されたことを視覚的に確認できる。
【００６０】
例えば、ねじ回しの刃をノッチ１４７に挿入して、冗長ラッチ／確認機構１１８の連結部材２２４をコネクタ本体２１２から半径方向外向きすなわち横断方向下向きにこじることによって、冗長ラッチ／確認機構１１８をコネクタ本体２１２から下向きすなわち半径方向外向きに押し進めることにより、冗長ラッチ／確認機構１１８を意図的に取り外してそのラッチ解除位置に移動させることができる。
【００６１】
冗長ラッチ／確認機構１１８がラッチ解除位置にあるとき、主リテーナ１１６の横部材１９８に横断方向下向きすなわち半径方向内向きに力を加えることによって、オス部材１１４を脚部１９６の背後のロック位置から解放することができる。横部材１９８に半径方向内向きの力を加えることにより、解除突出部２０８のランプ面２０９がコネクタ本体１１２の上部支持部材１４４の湾曲上面１４５と接触する。下向きの力を加え続けると、解除突出部２０８のランプ面２０９が上部支持部材１４４に接しながら摺動又はカム移動して、主リテーナ１１６の脚部１９６を横方向に拡開させる。最終的に、脚部１９６間の距離がアップセット１９０の通り抜けを可能にするのに十分となる解放位置まで、脚部１９６が拡開するであろう。これにより、オス部材１１４をコネクタ本体１１２から引き抜くことができる。部材１１４をコネクタ本体１１２から引き抜いて主リテーナ１１６が弛緩すると、主リテーナ１１６はその通常設置位置に戻り、傾斜表面２０５が中央支持部材１５０に接して相互作用することによって横部材１９８が上方へ押し進められる。
【００６２】
本発明の特徴を具現する急速継手組立体３１０の若干変更を加えた形態が、図２０乃至図２９に示されている。急速継手組立体１１０と同様に、この代替的な急速継手組立体３１０は、主リテーナ部材１１６及び個別の冗長ラッチ／確認機構部材３１８により互いに固定された、ほぼ円筒形のメスコネクタ本体３１２及びオス部材１１４から成る。代替的な急速継手組立体３１０のオス部材１１４及び主リテーナ１１６は、詳細に上述した急速継手組立体１１０のオス部材１１４及び主リテーナ１１６と同じである。
【００６３】
代替的な急速継手組立体３１０のコネクタ本体３１２が図２１乃至図２４に詳細に示されている。コネクタ本体３１２は、オス部材１１４を前方に引いてオス部材１１４に捻り又は回転運動を加えた場合に主リテーナ１１６の脚部１９６が横方向外向きに拡開することを防止するための、１対のロックパッドを含むことを除いて、急速継手組立体１１０のコネクタ本体１１２と同様である。
【００６４】
コネクタ本体３１２は、ほぼ円筒形の段差付き半径方向外壁３２０によって画定されている。壁３２０の内面は、長手軸３２４に中心が位置する貫通内孔３２６を画定する。コネクタ本体３１２の内孔３２６は、大径のオス部材受け取り端部３２８から小径のホース接続端部３３０まで、コネクタ本体１１２内を完全に貫通している。壁３２０の直径の変化により、内孔３２６が個別部分に分割される。オス部材受け取り端部３２８からホース接続端部３３０まで軸方向後向きに進むと、それらはリテーナハウジング部分３３２、シール室、チューブ端部受け取り部、及び流体通路である。急速継手組立体３１０のシール室、チューブ端部受け取り部、及び流体通路の構成は、詳細に上述した急速継手組立体１１０のシール室１３４、チューブ端部受け取り部１３６、及び流体通路１３８と同じである。
【００６５】
リテーナハウジング部分３３２は、オス部材受け取り端部３２８に隣接している。それは、オス部材受け取り端部３２８に貫通内孔３２６への入口３２７を画定する横断方向の平坦な前面３２９を有する前方リム３４０によって画定されている。前方リム３４０は、貫通内孔３２６に通じるギャップ又は空間３３９によって隔てられる後方リム３４２から離間している。これらの表面３４１、３４３は、弓形の上部支持部材３４４、２つの側部支持部材３４６、２つの中央支持部材３５０、及び２つの底部支持部材３５４によって連結されている。後方リム３４２の底部にノッチ３４７が画定されている。上部支持部材３４４の上側湾曲面は、後方リム３４２の半径方向最外縁部から半径方向内側に幾分凹んでいる。上部支持部材３４４及び表面３４１、３４３は、主リテーナ１１６の横部材を受け取るポケット３７７を画定している。
【００６６】
上部支持部材３４４と２つの側部支持部材３４６との間の空間３３９が、１対の第１の、すなわち上部スロット３５８を画定している。２つの中央支持部材３５０と２つの底部支持部材３５４との間の空間３３９が、上部支持部材３４４と真向かいの位置に第２の、すなわち底部スロット３６６を画定している。２つの側部支持部材３４６と底部支持部材３５４との間の空間３３９が、１対の第３の、すなわち側部スロット３６２を画定している。スロット３５８、３６２、及び３６６は、貫通内孔３２６に通じている。
【００６７】
上部スロット３５８は、コネクタ本体３１２の中心軸３２４を横切る方向に主リテーナ１１６の脚部を受け取って、その位置決めを行う。底部スロット３６６は、コネクタ本体の中心軸３２４を横切る方向に冗長ラッチ／確認機構３１８のビームを受け取って、その位置決めを行う。主リテーナ１１６及び冗長ラッチ／確認機構３１８の両方の部材が、側部スロット３６２内に位置する。
【００６８】
図２０乃至図２１に最もわかりやすく見えるように、コネクタ本体３１２は、リム３４０と３４２との間の空間３３９の一部を占める、後方リム３４２の前面３４３から前方に延出している一連の軸方向の突出部又は本体支柱を含む。これらの突出部又は本体支柱は、コネクタ本体に一体成形される。湾曲上壁３４４の横方向端部には、１対の第１の、すなわち上側本体支柱３４８が配置される。これらの上側本体支柱３４８の各々は、上部湾曲面３４９を含む。上側本体支柱３４８及び上部支持部材３４４の下には、内側湾曲面３５１が延びている。上側本体支柱３４８は、前方リム３４０の後面３４１と向き合う、図２１に最もわかりやすく見える前面３３７を含む。
【００６９】
１対の第２の、すなわち中央放物形本体支柱３５２は、貫通内孔３２６の両側に約１８０°（度）離れて横方向に配置され、放物形中央本体支柱３５２の先端又は頂点３６３は、半径方向外側を向いている。各中央本体支柱３５２は、中心線３２４を通る平面にある頂点３６３で合流する上側湾曲面３５３及び下側湾曲面３５５を含む。各中央本体支柱３５２はさらに、第１本体支柱３４８及び上部支持部材３４４の半径方向内側湾曲面３５１と同じ曲率半径で形成される半径方向内側湾曲面３５６を含む。内側湾曲面３５６は、キャッチ３５７において下側湾曲面３５５と交わる。
【００７０】
第３の、すなわち底部突出部又はプラトー３５９は、中央支持部材３５０と底部支持部材３５４との間に延びる本体３１２の固形（ソリッド）部分である。底部突出部３５９の底縁部３７６が、冗長ラッチ／確認機構３１８が図２９に示されているようにラッチ位置にあるときに、冗長ラッチ／確認機構３１８の保持領域４３７の輪郭に一致するように輪郭付けされていることを除いて、底部突出部３５９はコネクタ本体１１２の底部突出部１５９と同様である。これにより、ロックリッジ１７２が保持領域４３７間にあるときに、ロックリッジ３７４が冗長ラッチ／確認機構３１８をそのラッチ位置により確実に保持することができる。底部突出部３５９は、前方リム３４０の後面３４１の方に向き合う、図２３に最もわかりやすく見える平面３７１を画定する。底部突出部３５９は、底部支持部材３５４に向かう方向に下方に角度をなして中央支持部材３５０から横断方向外向きに延びる離間したレッジ３６０を含む。底部突出部３５９の半径方向外側の範囲は、平行に短距離延びてから底部支持部材３５４に向かって収束する離間した側壁３６１によって画定されている。
【００７１】
底部突出部３５９はさらに、上側本体支柱３４８と湾曲した上部支持部材３４４とにより画定される半径方向内側湾曲面３５１と同じで、かつ中央本体支柱３５２の内側湾曲面３５６と同じ曲率半径で、半径方向内側湾曲面３６４を含む。これらの内側湾曲面３５１、３５６、及び３６４は、アップセット受け取りポケット３６５を画定している。
【００７２】
図２４に示されているように、前方リム３４０の後面３４１は、後面から凹んだ複数の溝路を画定する。側部支持部材３４６と上部支持部材３４４との間には、１対の第１の、すなわち上部溝路３７８が形成されている。上部溝路３７８は、前方リム３４０の上縁部から入口３２７を画定している前方リム３４０の開口まで横断方向に延びる。側部支持部材の下には１対の第２の、すなわち上側側部溝路３８０が形成されている。上側側部溝路３８０は、前方リム３４０の横方向外縁部から入口３２７を画定している開口まで横方向に延びる。前方リム３４０には、上側側部溝路３８０の下に離間して１対の第３の、すなわち下側側部溝路３８２が形成されている。上側側部溝路３８０それぞれと下側側部溝路３８２それぞれとの間には、半径方向内向きに延びるロックパッド３８４が形成されている。
【００７３】
上側側部溝路３８０、下側側部溝路３８２、及びロックパッド３８４は、オス部材１１４がコネクタ本体３１２に完全に挿入された後でオス部材を軸方向前方に引くと、主リテーナ１１６の脚部１９６が上側側部溝路３８０及び下側側部溝路３８２のほぼ軸平面の方に向かって軸方向に押し進められるような位置及び寸法である。この軸方向位置では、主リテーナ１１６の脚部１９６は、ロックパッド３８４の半径方向すなわち横方向内側に位置する。主リテーナ１１６がこの軸方向前方の位置にあるときに、オス部材を捻った、すなわち回転させたとしても、脚部１９６がロック解除位置に誤って拡開することをロックパッド３８４が防止する。
【００７４】
底部スロット３６６は、図２２及び図２３に最もわかりやすく見える、中央支持部材３５０の離間した内面３６７と底部支持部材３５４の離間した内面３６９との間に横方向に延在する拡大部分と、横方向表面３７５間に横断方向に延在する、図２２及び図２４に最もわかりやすく見える細幅部分とを有する。横方向表面３７５は、互いに平行且つ表面３６９と平行であり、内部内孔３２６まで延びている。底部スロット３６６の断面は、ほぼ「Ｔ」字形である。底部突出部３５９の平面３７１は、底部スロット３６６の最も内側の表面を画定する。図２２に見られるように、最も前方の表面３７３が、底部スロット３６６の前部を画定する。
【００７５】
中央支持部材３５０の各々は、図２３に最もわかりやすく見えるロック肩部３６８を画定している。図２３及び図２４に最もわかりやすく見えるように、ロックリッジ３７２が、各底部支持部材３５４の外縁部から横方向に延出し、平坦部３７４を画定している。図２１に示されているように、ロックリッジ３７２は、前方リム３４０の後面３４１から後方リム３４２の前面３４３の手前の或る距離まで軸方向に延びており、したがって、ロックリッジの後方末端と後方リム３４２の前面３４３との間に溝３７０を画定する。溝３７０は、冗長ラッチ／確認機構３１８の延長ビーム及び確認タブの厚さよりわずかに長い軸方向長さを有し、冗長ラッチ／確認機構３１８がコネクタ本体３１２上でそのラッチ解除位置に配置されているときに、溝３７０が延長ビーム及び確認タブを受け取ることができるようにする。
【００７６】
代替的な急速継手組立体３１０の冗長ラッチ／確認機構３１８が、図２５及び図２６に詳細に示されている。冗長ラッチ／確認機構３１８は、冗長ラッチ／確認機構３１８の各フィンガが横断方向に延びる解除タブを有することを除いて、急速継手組立体１１０の冗長ラッチ／確認タブ３１８と同様である。
【００７７】
冗長ラッチ／確認タブ３１８は、コネクタ本体３１２の底部スロット３６６及び側部スロット３６２内に延びて、コネクタ本体３１２に離脱可能に結合される。冗長ラッチ／確認機構３１８は、底部支持部材３５６に対してコネクタ本体３１２を横切る方向で、湾曲した上部支持部材３４４に、したがって主リテーナ１１６に接近及びそれから離れる方向に、半径方向内側すなわちラッチ位置と半径方向外側すなわちラッチ解除位置との間を摺動可能である。冗長ラッチ／確認機構３１８は好ましくは、プラスチック等の弾性的な可撓性材料で成形される。
【００７８】
冗長ラッチ／確認機構１１８は、冗長ラッチ／確認機構３１８がそのラッチ位置にあるときに底部スロット３６６に重なる半径方向内面４２７を有する連結部材４２４を備え、リテーナビーム４１９がこの連結部材から延出してコネクタ本体の底部スロット３６６内に摺動可能に配置される。冗長ラッチ／確認機構３１８は、連結部材３２４から横断方向上向きに、且つリテーナビーム４１９と同じ方向に延出している１対の湾曲したほぼ弾性的なフィンが４２２の形をとる、横方向に離間した部分も含む。
【００７９】
各フィンガ４２２は、内向き先端４３１を有する横方向内向きのフック４３０を有するナックル４２５を含む。冗長ラッチ／確認機構３１８がその外側すなわちラッチ解除位置にあるとき、フック４３０によって画定されたネスト領域４３２が、底部支持部材３５４によって画定されたロックリッジ３７２に係合し、それにより、冗長ラッチ／確認機構をコネクタ本体３１２に取り外し可能に固定する。
【００８０】
フック４３０のネスト領域４３２と連結部材４２４との間に位置する各ナックル４２５の内面は、ランプ面４３４及び横方向拡大表面又はノックナブ４３６の形をとる移行表面と、保持領域４３７とを画定する。２つのナックル４２５のランプ面４３４間の距離は、コネクタ本体の底部支持部材３５４のロックリッジ３７２間の距離より短い。ロックナブ４３６間の距離は、ロックリッジ３７２の横方向外縁部間の間隔より狭い。２つのフィンガの保持領域４３７間の距離は、ロックリッジ３７２間の距離にほぼ等しい。
【００８１】
各フィンガはさらに、ナックル４２５の端部から延びて、横断方向内向きに延びる確認タブ４４２及び連結部材４２４から遠い端部に形成された横断方向外向きに延びる解除タブ４６４で終了する、延長ビーム４４０を含む。延長ビーム４４０、確認タブ４４２、及び解除タブ４６４の後面４４４、４４６、４６６は、ナックル４２５の後面４４８と揃っている。しかしながら、延長ビーム４４０、確認タブ４４２、及び解除タブ４６４の前面４４５、４４７、４６７は、図２５に示されているように、ナックル４２５の前面４４９から凹んでおり、延長ビーム４４０、確認タブ４４２、及び解除タブ４６４の厚さがナックル４２５の厚さより薄くなっている。延長ビーム４４０、確認タブ４４２、及び解除タブ４６４の厚さとナックル４２５の厚さとの差は、アップセット１９０の厚さすなわち軸方向の長さと少なくとも同じであるべきである。
【００８２】
各確認タブ４４２は、丸み付き縁部４５０、第１傾斜縁部４５２、第２傾斜縁部４５４、及び内側ロック縁部４５６を有する。丸み付き縁部４５０と第１傾斜縁部４５２との接合部は、点４５１を形成する。導入ランプ面４６０が、各確認タブ４４２の前面４４７に形成されている。導入ランプ面４６０は、各確認タブ４４２の前面４４７から半径方向内方及び軸方向後方に傾斜して、第１傾斜縁部４５２及び第２傾斜縁部４５４で終了する。導入ランプ面４６０間の間隔は、前面４４７付近で最大である。導入ランプ面の形状及び間隔は、オス部材アップセット１９０の環状輪郭に一致しており、冗長ラッチ／確認機構３１８がラッチ解除位置にあるとき、オス部材１１４をコネクタ本体３１２に挿入するとアップセット１９０が導入ランプ面４６０と接触することができるようにする。対向する第１傾斜縁部４５２間の間隔は、冗長ラッチ／確認機構３１８がラッチ解除位置にあるとき、オス部材の円筒形シール表面１９４が確認タブ４４２と接触せずにコネクタ本体３１２に挿入されるのに必要な間隔より大きい。確認タブ４４２の丸み付き縁部４５０は、冗長ラッチ／確認機構３１８がラッチ位置にあるときに中央本体支柱３５２の上側湾曲面３５３と係合する形状及び寸法である。
【００８３】
解除タブ４６４は、確認タブの反対側で横断方向外向きに延びている。解除タブ４６４は、上向きに延びる突出部４７０で一端部が終了する外側ロックエッジ４６８を有する。本体支柱縁部４５８が、外側ロック縁部４６８の他端部から確認タブ４４２の内側ロック縁部４５６まで延びている。内側ロック縁部４５６、本体支柱縁部２５８、及び外側ロック縁部４６８は、冗長ラッチ／確認機構３１８がラッチ解除位置にあるときに中央本体支柱４５２を受け取るための座部４６２を画定する。
【００８４】
冗長ラッチ／確認機構３１８のリテーナビーム４１９は、横方向拡大部分４２０及び細幅部分４２１を有する。拡大部分４２０の横幅は、中央支持部材３５０の離間した壁面３６７と底部支持部材３５４の離間した壁面３６９との間の底部スロット３６６の横幅よりわずかに狭い。細幅部分４２１の横幅は、横方向に離間した壁３７５の間の底部スロット３６６の横幅よりわずかに狭い。
【００８５】
図２５に最もわかりやすく見えるように、リテーナビーム４１９の断面は「Ｔ」字形である。細幅部分４２１が「Ｔ」字形の脚を形成し、拡大部分４２０が「Ｔ」字形の上部の横棒を形成する。リテーナビーム４１９は拡大部分４２０上に、底部突出部４５９の平面４７１と向き合う当接又は後面４２８を有する。リテーナビームの細幅部分４２１は、横方向表面３７５間に画定された底部スロット３６６の細幅部分と向き合う前面４２９を有する。リテーナビーム４１９は拡大部分４２０に、底部支持部材３５４の壁面３６９及び中央支持部材３５０の壁面３６７に対して近接した位置で摺動可能である横方向側壁を有する。図２５に最もわかりやすく見えるように、リテーナビーム４１９の細幅部分４２１は、コネクタ本体３１２の底部スロット３６６の細幅部分の横方向壁３７５に対して近接した位置で摺動可能である横方向側壁を有する。リテーナビーム４１９の細幅部分４２１の前面４２９は、ランプ面４３３によって画定された面取り部分を備える。冗長ラッチ／確認機構３１８をコネクタ本体３１２に取り付けるとき、ランプ面４３３はコネクタ本体３１８のオス部材受け取り端部３２８に面する。
【００８６】
組み付け状態の代替的な急速継手３１０が図２０に示されている。詳細に上述したように、主リテーナ１１６を急速継手１１０のコネクタ本体１１２に取り付けるのと同じようにして、主リテーナ１１６がコネクタ本体３１２に取り付けられる。
【００８７】
主リテーナ１１６をコネクタ本体３１２に適切に取り付けると、次に、冗長ラッチ／確認機構１１８を詳細に上述したラッチ解除位置で急速継手１１０のコネクタ本体１１２に取り付けるのと同様にして、冗長ラッチ／確認機構３１８をコネクタ本体３１２に取り付ける。図２７に示されているように、ナックル４２５のフック４３０が底部支持部材３５４のロックリッジ３７２を捕らえて、本体支柱縁部４５８が中央本体支柱３５２の下側湾曲面３５５と当接関係になるまで、フィンガ４２２を底部支持部材３５４の溝３７０に沿って側部スロット３６２を通して横断方向上向きすなわち半径方向内向きの方向で摺動させることにより、冗長ラッチ／確認機構をそのラッチ解除位置に配置する。同時に、冗長ラッチ／確認機構３１８のリテーナビーム４１９を、コネクタ本体の底部スロット３６６に挿入する。ラッチ解除位置では、図２０に示されているように、延長ビーム４４０及び確認タブ４４２は、後方リム３４２の前面３４３と主リテーナの脚部１９６との間に軸方向に位置決めされる。同様にラッチ解除位置では、ナックル４２５の上側部分は、後方リム３４２の前面３４３と前方リム３４０の後面３４１との間に軸方向に位置決めされる。
【００８８】
冗長ラッチ／確認機構３１８をそのラッチ解除位置でコネクタ本体３１２に取り付けた状態で、詳細に上述したように、オス部材１１４を急速継手１１０のコネクタ本体１１２に挿入するのと同じようにして、急速継手３１０のオス部材１１４をコネクタ本体３１２に挿入して流体経路を完成することができる。オス部材１１４がコネクタ本体３１２に完全に挿入されると、フィンガ４４２は、図２７に示される位置から内側ロック縁部４５６がキャッチ３５７から離れた図２８に示される位置まで、横断方向下向き及び横方向外向きに移動する。横断方向下向き及び横方向外向きのフィンガ４４２の移動は、詳細に上述した冗長ラッチ／確認機構１１８のフィンガ１４２の移動と同様である。
【００８９】
急速継手１１０の主リテーナ１１６及び冗長ラッチ／確認機構１１８の構造と同様に、代替的な急速継手３１０の主リテーナ１１６及び冗長ラッチ／確認機構３１８の構造、すなわち冗長ラッチ／確認機構３１８の確認タブ４４２を主リテーナ１１６の脚部１９６の軸方向のすぐ後方に位置付ける構造は、アップセット１９０が主リテーナ１１６の脚部１９６を完全に通過した後でのみ冗長ラッチ／確認機構３１８のフィンガ４２２が外向きに拡開できることを確実にする。
【００９０】
継手組立体は、冗長ラッチ／確認機構３１８をラッチ位置に配置することによって完成する。冗長ラッチ／確認機構３１８をラッチ位置に配置するために、連結部材４２４に（コネクタ本体３１２の方に向けて）横断方向上向きすなわち半径方向内向きの力を加える。十分な上向きすなわち半径方向内向きの力により、確認タブ４４２の傾斜縁部４５２及び４５４が中央本体支柱１５２の下側湾曲面３５５を摺動して、フィンガ４２２をさらに拡開させ、確認タブ４４２の点４５１が中央本体支柱３５２の先端又は頂点３６３を越えることができるようにする。確認タブ４４２の点４５１が中央本体支柱１５２の先端を越えると、フィンガは、図２９に示されているように確認タブの丸み付き縁部４５０が中央本体支柱の上側湾曲面３５３と係合するラッチ位置へ、横方向内向きにはまる。同様にラッチ位置では、解除タブ４６４が側部スロット３６８内に横方向外向きに延びて、解除タブの突出部４７０へのアクセスを容易にする。
【００９１】
さらに、冗長ラッチ／確認機構３１８を主リテーナ１１６の方に向かう横断方向にそのラッチ位置へ移動させると、底部支持部材３５４のロックリッジ３７２がフィンガ４２２のネスト領域４３２から押し出される。ランプ面４３４がロックリッジ３７２の上に載ってフィンガ４２２を外向きにたわませ、それにより、フィンガ４２２を拡開させて、ロックナブ４３６がロックリッジ３７２を通過することができ、その時、ロックリッジ３７２は保持領域４３７間に位置する。冗長ラッチ／確認機構３１８はまた、その時、フィンガ４２２の弾性的特性、及びロックナブ４３６とロックリッジ３７２との当接関係による保持領域４３７とロックリッジ３７２との相互作用により、ラッチ位置に解放可能に保持される。冗長ラッチ／確認機構３１８がそのラッチ位置にあるとき、フィンガ４２２の自由端部に位置するフック４３０は、脚部１９６の自由端部に位置するラッチ４０６の横方向外側で側部スロット３６２内に位置している。フィンガ４２２上のフック４３０の内面間の距離は、主リテーナ１１６のラッチ２０６の位置における脚部１９６の外面間の距離よりわずかに長い。フィンガ４２２の軸方向幅は、脚部１９６の軸方向幅にほぼ等しい。注目すべきことに、フィンガ４２２の長さは、冗長ラッチ／確認機構３１８がラッチ位置にあるとき、フィンガ４２２が脚部１９６の外向きのたわみを妨害し、それにより、フィンガ１９６が中央支持部材３５０のロック肩部３６８に確実にロックされたままであるようにする長さである。
【００９２】
同時に、リテーナビーム４１９は、オス部材１１４の方に向けて横断方向上向き、すなわち半径方向内向きに移動するため、冗長ラッチ／確認機構がラッチ位置にあるとき、リテーナビーム４１９の後面４２８は、オス部材１１４のアップセット１９０の当接面１９１に軸方向に当接した関係にある。急速継手１１０の冗長ラッチ／確認機構１１８と同様に、冗長ラッチ／確認機構３１８は、オス部材がコネクタ本体３１８に完全に挿入された後でラッチ位置に配置することができる。
【００９３】
冗長ラッチ確認機構／確認機構１１８と同様に、ねじ回しの刃を用いて連結部材２２４をコネクタ本体３１２から半径方向外向きにこじることによって、冗長ラッチ／確認機構３１８をコネクタ本体３１２から横断方向下向きすなわち半径方向外向きに押し進めることにより、冗長ラッチ／確認機構３１８を意図的に取り外してそのラッチ解除位置に移動させることができる。代替的に、側部スロット３６２内に延びる解除タブ４６４の突出部４７０を横断方向下向きに単に引くことによって、冗長ラッチ／確認機構３１８を意図的に取り外してそのラッチ解除位置に移動させることができる。突出部４７０を下向きに引くことによって、確認タブ４４２の丸み付き縁部４５０は中央本体支柱３５２の上側湾曲面３５３に接しながらカム移動して、フィンガ４２２を横方向外向きに拡開させる。確認タブ４４２の点４５１が中央本体支柱３５２の先端３６３を越えると、フィンガ４４２がラッチ解除位置に内向きにはまる。
【００９４】
図示して記載した実施形態を参照しながら、本発明のさまざまな特徴を説明してきた。添付の特許請求の範囲によって定義されるような本発明の精神及び範囲から逸脱することなく、多くの修正を加えることができることを理解されなければならない。
【図面の簡単な説明】
【００９５】
【図１】本発明の特徴を具現する急速継手組立体の側面図である。
【図２】図１の急速継手組立体の正面図である。
【図３】図１の線３−３に沿った図１の急速継手組立体の断面の底面図である。
【図４】図１の急速継手組立体のコネクタ本体の側面図である。
【図５】図４のコネクタ本体の底面図である。
【図６】図５の線６−６に沿った図４のコネクタ本体の断面の側面図である。
【図７】図４の線７−７に沿った図４のコネクタ本体の断面の正面図である。
【図８】図４の線８−８に沿った図４のコネクタ本体の断面の背面図である。
【図９】図１の急速継手組立体の主リテーナの斜視図である。
【図１０】図９の主リテーナの断面の側面図である。
【図１１】図９の主リテーナの正面図である。
【図１２】図１の急速継手組立体の冗長ラッチ／確認機構の斜視図である。
【図１３】図１２の冗長ラッチ／確認機構の背面図である。
【図１４】図１２の冗長ラッチ／確認機構の側面図である。
【図１５】図１２の冗長ラッチ／確認機構の正面図である。
【図１６】明確にするために主リテーナを取り外した状態で、オス部材がコネクタ本体に部分的に挿入され、冗長ラッチ／確認機構がそのラッチ解除位置にあるところを示す、図１の線１６−１６に沿った図１の急速継手組立体の断面の正面図である。
【図１７】オス部材がコネクタ本体に完全に挿入され、冗長ラッチ／確認機構がそのラッチ解除位置とそのラッチ位置との間の中間位置にあるところを示す、拡大した図１６と同様の断面の正面図である。
【図１８】オス部材がコネクタ本体に完全に挿入され、冗長ラッチ／確認機構がそのラッチ位置にあるところを示す、図１６と同様の断面の正面図である。
【図１９】オス部材がコネクタ本体に完全に挿入され、主リテーナがラッチ位置にロックされて、冗長ラッチ／確認機構がコネクタ本体内にチューブを保持するためにラッチされている状態を示す、図１６と同様の断面の正面図である。
【図２０】本発明の特徴を具現する、変更された、すなわち代替的な急速継手組立体の側面図である。
【図２１】図２０の代替的な急速継手組立体のメスコネクタ本体の側面図である。
【図２２】図２１のコネクタ本体の底面図である。
【図２３】図２１の線２３−２３に沿った図２１のコネクタ本体の断面の正面図である。
【図２４】図２１の線２４−２４に沿った図２１のコネクタ本体の断面の背面図である。
【図２５】図２０の代替的な急速継手組立体の冗長ラッチ／確認機構の斜視図である。
【図２６】図２５の冗長ラッチ／確認機構の正面図である。
【図２７】明確にするために主リテーナを取り外した状態で、冗長ラッチ／確認機構がそのラッチ解除位置にあるところを示す、図２０の線２７−２７に沿った図２０の急速継手の断面の正面図である。
【図２８】オス部材がコネクタ本体に完全に挿入され、冗長ラッチ／確認機構がそのラッチ解除位置とそのラッチ位置との間の中間位置にあるところを示す、図２７と同様の断面の正面図である。
【図２９】オス部材がコネクタ本体に完全に挿入され、冗長ラッチ／確認機構がそのラッチ位置にあるところを示す、図２７と同様の断面の正面図である。
【図１】
2006313013.tif 000003
【図２】
2006313013.tif 000004
【図３】
2006313013.tif 000005
【図４】
2006313013.tif 000006
【図５】
2006313013.tif 000007
【図６】
2006313013.tif 000008
【図７】
2006313013.tif 000009
【図８】
2006313013.tif 000010
【図９】
2006313013.tif 000011
【図１０】
2006313013.tif 000012
【図１１】
2006313013.tif 000013
【図１２】
2006313013.tif 000014
【図１３】
2006313013.tif 000015
【図１４】
2006313013.tif 000016
【図１５】
2006313013.tif 000017
【図１６】
2006313013.tif 000018
【図１７】
2006313013.tif 000019
【図１８】
2006313013.tif 000020
【図１９】
2006313013.tif 000021
【図２０】
2006313013.tif 000022
【図２１】
2006313013.tif 000023
【図２２】
2006313013.tif 000024
【図２３】
2006313013.tif 000025
【図２４】
2006313013.tif 000026
【図２５】
2006313013.tif 000027
【図２６】
2006313013.tif 000028
【図２７】
2006313013.tif 000029
【図２８】
2006313013.tif 000030
【図２９】
2006313013.tif 000031
【外国語明細書】
2006313013.tif 000032
2006313013.tif 000033
2006313013.tif 000034
2006313013.tif 000035
2006313013.tif 000036
2006313013.tif 000037
2006313013.tif 000038
2006313013.tif 000039
2006313013.tif 000040
2006313013.tif 000041
2006313013.tif 000042
2006313013.tif 000043
2006313013.tif 000044
2006313013.tif 000045
2006313013.tif 000046
2006313013.tif 000047
2006313013.tif 000048
2006313013.tif 000049
2006313013.tif 000050
2006313013.tif 000051
2006313013.tif 000052
2006313013.tif 000053
2006313013.tif 000054
2006313013.tif 000055
2006313013.tif 000056
2006313013.tif 000057
2006313013.tif 000058
2006313013.tif 000059
2006313013.tif 000060
2006313013.tif 000061
2006313013.tif 000062
2006313013.tif 000063
2006313013.tif 000064
2006313013.tif 000065
2006313013.tif 000066
2006313013.tif 000067
2006313013.tif 000068
2006313013.tif 000069
2006313013.tif 000070
2006313013.tif 000071
2006313013.tif 000072
2006313013.tif 000073
2006313013.tif 000074
2006313013.tif 000075
2006313013.tif 000076
2006313013.tif 000077
2006313013.tif 000078
2006313013.tif 000079
2006313013.tif 000080
2006313013.tif 000081
2006313013.tif 000082
2006313013.tif 000083
2006313013.tif 000084
2006313013.tif 000085
2006313013.tif 000086